(57)【要約】【課題】  地下施設等の構造物施設の出入口に対して容易にかつ迅速に設置されて出入口との間に水密構造を形成でき、しかも設置に大掛かりな工事を必要としない止水装置を提供する。【解決手段】  この発明の止水装置１は、床面と互いに対向する２つの壁面とからなる出入口に設置されるものであり、複数の押圧手段により止水扉２および／または止水シート１１と第１収納ケース３および第２収納ケース６との間に水密構造が形成される。【選択図】        図１
2006283454.tif 000002
【特許請求の範囲】
【請求項１】
床面を有する出入口に設置される止水装置であって、上記床面上に横置きされた状態で上記出入口を遮断して上流側および下流側を区画する止水扉と、この止水扉を縦置き状態で収納しかつ上記出入口の床面上に配置された第１収納ケースと、この第１収納ケース内に縦置き状態で収納された止水扉の長さ方向に離間する両端部のうち、上記床面に近い一端部側に設けられかつ上記止水扉を回転可能に支持する回転手段と、この回転手段により回転して上記床面上に横置き状態になった上記止水扉の他端部を収納する第２収納ケースと、上記回転手段により回転して上記床面上に横置き状態になる際に上記止水扉の一端部を上記下流側に押圧する第１押圧手段を含むことを特徴とする止水装置。
【請求項２】
上記回転手段により回転して上記床面上に横置き状態になる際に上記止水扉の他端部を上記下流側に押圧する第２押圧手段をさらに含む請求項１記載の止水装置。
【請求項３】
上記止水扉は、横置き状態において上記床面側に配された下枠部と、この下枠部の上方に配設された上枠部と、この上枠部と上記下枠部との間に折畳まれた状態で配された止水シート部と、上記下枠部の下部に配設された弾性シール部を含み、上記回転手段により回転して上記床面上に横置き状態になった上記止水扉の他端部を上記床面に向けて下方に押圧して、上記止水扉の弾性シール部を上記床面に密着させる第３押圧手段をさらに含む請求項２記載の止水装置。
【請求項４】
横置き状態にされた上記止水扉の上枠部は下枠部から上方に分離可能であり、この分離された上枠部は下枠部から離間した位置に固定する支持部材を含み、上記止水扉の下枠部は、上流側に配されかつ上記分離により引き出された上記止水シート部に接触する側板部を含み、この側板部と上記止水扉の両端部との間に切欠き部を備え、この切欠き部および上記支持部材を介して上記止水シート部を下流側に押圧する第４押圧手段をさらに含む請求項３記載の止水装置。
【発明の詳細な説明】
【技術分野】
【０００１】
この発明は、地下施設等の構造物施設の出入口に設置されて、増水等による構造物施設への浸水を防止する止水装置に関するものである。
【背景技術】
【０００２】
一般に、地下鉄、地下道または地下駐車場等の地下施設あるいは倉庫等の地上施設では、大雨あるいは高潮等により発生する増水に対処するために、それぞれの構造物施設の出入口に防潮板等の防水設備が設けられている場合がある。この防水設備は、構造物施設の出入口の所定位置に駅員等の専任者によって運ばれて設置される防潮板と、この防潮板を所定位置に固定する固定機構とから構成されている。
【０００３】
しかしながら、従来の防潮板は、増水による水圧の増加にも耐え得るように、重厚長大に設計されているため、増水の発生という緊急時に、専任者が防潮板を保管場所から所定位置まで運び、設置するという一連の作業が非常に重労働となるばかりでなく、その設置までの作業時間を考慮すると、防水設備に要求される迅速性を欠いていると考えられる。そこで、従来の欠点を解決すべく、比較的迅速に設置が可能な防水設備も提案されている。
【０００４】
特許文献１は、地下施設等の出入口の床面内に埋設された防水収納ケースと、この防水収納ケース内に折り畳まれた状態で収納されかつ下端部が固定された防水シャッタと、上記防水収納ケースに取り付けられかつ上方に延在するレールと、このレールに沿って上記防水シャッタを上方に送出する駆動機構とから構成された防水シャッタ装置を開示するものである。
【０００５】
特許文献２は、地下施設等の出入口の床面内に形成された収納溝と、この収納溝内に折り畳まれた状態で収納されたシートと、上記収納溝から引き出されたシートを支持するサイドレールおよび中柱とから構成された防潮板装置を開示するものである。
【０００６】
特許文献３は、地下施設等の出入口としての開口部の床面内に形成された支持溝と、この支持溝内に固定された下端部を有する防潮用の堰板と、この堰板の裏面に設置されかつ上記開口部に上記堰板を固定するためのラチェット機構による締付け部材とから構成された防潮板締付装置を開示するものである。
【０００７】
しかしながら、上記特許文献１から特許文献３までに開示された防水設備はいずれも、防潮板の機能を発揮するシャッタ、シートあるいは堰板を収納あるいは固定するための溝部を、出入口または開口部の床面に形成する必要があるため、上記防水設備の構築に際して床面に対し大掛かりなハツリ工事を行わなければならず、上記防水設備の費用に加えて、ハツリ工事の費用も嵩んでいた。さらに、上記防水設備は、そもそも上記構造物施設の出入口に設置されるものであるので、既存の構造物施設に大掛かりな防水設備用のハツリ工事を別途行う場合には、出入口を一時的にでも閉鎖して施設使用者の通行を制限する必要が生じるため、施設使用者にとって不便であった。
【特許文献１】特開２００３−８２９５６号公報
【特許文献２】特開２００１−２２７２５５号公報
【特許文献３】実開平４−１１６５９７号公報
【発明の開示】
【発明が解決しようとする課題】
【０００８】
この発明の目的は、地下施設等の構造物施設の出入口に対して容易にかつ迅速に設置されて出入口との間に水密構造を形成でき、しかも設置に大掛かりな工事を必要としない止水装置を提供することにある。
【課題を解決するための手段】
【０００９】
この発明の請求項１記載の発明は、床面を有する出入口に設置される止水装置であって、上記床面上に横置きされた状態で上記出入口を遮断して上流側および下流側を区画する止水扉と、この止水扉を縦置き状態で収納しかつ上記出入口の床面上に配置された第１収納ケースと、この第１収納ケース内に縦置き状態で収納された止水扉の長さ方向に離間する両端部のうち、上記床面に近い一端部側に設けられかつ上記止水扉を回転可能に支持する回転手段と、この回転手段により回転して上記床面上に横置き状態になった上記止水扉の他端部を収納する第２収納ケースと、上記回転手段により回転して上記床面上に横置き状態になる際に上記止水扉の一端部を上記下流側に押圧する第１押圧手段を含むものである。
【００１０】
この発明の請求項２記載の発明は、上記回転手段により回転して上記床面上に横置き状態になる際に上記止水扉の他端部を上記下流側に押圧する第２押圧手段をさらに含むものである。
【００１１】
この発明の請求項３記載の発明は、上記止水扉を、横置き状態において上記床面側に配された下枠部と、この下枠部の上方に配設された上枠部と、この上枠部と上記下枠部との間に折畳まれた状態で配された止水シート部と、上記下枠部の下部に配設された弾性シール部から構成し、上記回転手段により回転して上記床面上に横置き状態になった上記止水扉の他端部を上記床面に向けて下方に押圧して、上記止水扉の弾性シール部を上記床面に密着させる第３押圧手段をさらに含むものである。
【００１２】
この発明の請求項４記載の発明は、横置き状態にされた上記止水扉の上枠部は下枠部から上方に分離可能であり、この分離された上枠部は下枠部から離間した位置に固定する支持部材を含み、上記止水扉の下枠部は、上流側に配されかつ上記分離により引き出された上記止水シート部に接触する側板部を含み、この側板部と上記止水扉の両端部との間に切欠き部を備え、この切欠き部および上記支持部材を介して上記止水シート部を下流側に押圧する第４押圧手段をさらに含むものである。
【発明の効果】
【００１３】
この発明の請求項１記載の発明によれば、第１押圧手段を備えるように構成したので、止水扉の回転終了時に止水扉を下流側に押圧し、これにより止水扉と第１収納ケースとを密着させて、その部分に水密構造を形成することができるという効果がある。
【００１４】
この発明の請求項２記載の発明によれば、第２押圧手段を備えるように構成したので、止水扉の回転終了時に止水扉を下流側に押圧し、これにより止水扉と第２収納ケースとを密着させて、その部分に水密構造を形成することができるという効果がある。
【００１５】
この発明の請求項３記載の発明によれば、第３押圧手段を備えるように構成したので、止水扉の回転終了後に、止水扉の被押圧部材を下方に向けて押圧し、これにより止水扉と床面との間に水密構造を形成することができるという効果がある。
【００１６】
この発明の請求項４記載の発明によれば、第４押圧手段を備えるように構成したので、引き出された止水シート部に対して第４押圧手段により押圧することで、止水シート部を、第１収納ケースおよび第２収納ケースに密着させることで、これらの部分に水密構造を形成することができるという効果がある。
【発明を実施するための最良の形態】
【００１７】
実施の形態１．
図１は、この発明の１つの実施の形態による止水装置の全体構成を示す正面図であり、図２は、図１に示した止水装置の一部を構成する第１収納ケース内の構成を部分的に示す斜視図であり、図３は、図２に示した第１収納ケース内に収納された止水扉の上端面を示す正面図であり、図４は、図３に示した止水扉の一側面を上流側から見た側面図であり、図５は、図１に示した止水装置の一部を構成する第２収納ケース内の構成を部分的に示す斜視図であり、図６は、図２に示した第１収納ケース内の構成を上流側から見た側面図であり、図７は、止水扉が横置きされた状態における止水装置の全体構成を示す正面図であり、図８は、図７に示した止水装置の一部を構成する第１収納ケース内の構成を部分的に示す斜視図であり、図９は、図８に示した第１収納ケース内の構成を上流側から見た側面図であり、図１０は、図８に示した第１収納ケース内の構成を第２収納ケース側から見た正面図であり、図１１（ａ）、図１１（ｂ）および図１１（ｃ）は、第１収納ケース内における止水扉の回転時の動作を順に示す正面図であり、図１２（ａ）および図１２（ｂ）は、第２収納ケース内における止水扉の回転時の一動作を示す図面であって、（ａ）は斜視図であり、（ｂ）は正面図であり、図１３（ａ）および図１３（ｂ）は、第２収納ケース内における回転後の止水扉を示す図面であって、（ａ）は斜視図であり、（ｂ）は正面図であり、図１４は、図１３（ａ）および図１３（ｂ）に示した第２収納ケース内の構成を第１収納ケース側から見た斜視図であり、図１５は、図７に示した止水装置の止水扉から止水シート部を引き上げた状態を示す正面図であり、図１６は、図１５に示した止水装置の一部を構成する第１収納ケース内の構成を拡大して示す正面図であり、図１７は、図１５に示した止水装置の一部を構成する第２収納ケース内の構成を拡大して示す正面図であり、図１８は、図１５に示した止水装置の一部を構成する第１収納ケースおよび第２収納ケース内の構成を示す上面図である。なお、この明細書において、「縦置き」とは上下方向すなわち鉛直方向に配設されたことを意味し、「横置き」とは床面に沿って水平方向に配設されたことを意味するものとする。また、増水により発生することが予想される水流の方向については、「上流側」および「下流側」で示すものとする。
【００１８】
この実施の形態１による止水装置１は、床面Ｆと、互いに対向する２つの壁面Ｗ１およびＷ２とからなる出入口Ｐに設置されるものであり、２つの壁面Ｗ１およびＷ２間の床面Ｆ上に横置きされた場合に出入口Ｐを遮断して水流の上流側Ｕおよび下流側Ｄを区画する止水扉２と、この止水扉２を縦置き状態で収納しかつ床面Ｆ上に一方の壁面Ｗ１に接して配置された第１収納ケース３と、この第１収納ケース３内に縦置き状態で収納された止水扉２を回転可能に支持するブッシュユニット（回転手段）４と、このブッシュユニット４により回転する止水扉２の回転力に抗する付勢力を発生するガススプリング（付勢手段）５と、上記ブッシュユニット４により回転して床面Ｆ上に横置き状態になった止水扉２の他端部を収納する第２収納ケース６とから概略構成されている。なお、回転手段としては、ブッシュユニット４の他に任意の構成を採用することができ、また付勢手段としては、ガススプリング５に代えてエアシリンダやオイルダンパ、コイルスプリング等を採用することができる。
【００１９】
まず、止水扉２の構成を説明する。
止水扉２は、金属等の剛性材からなる複数の函状部材から構成されて全体として一体の長尺部材をなしており、具体的には、止水扉２が第１収納ケース３と第２収納ケース６との間で横置き状態になっている場合に、第１収納ケース３と第２収納ケース６との離間距離に略相当する長さを有する長尺の板部材をなす第１中央部材（下枠部）７と、第１収納ケース３近傍で止水扉２の一端部を構成する第１端部材（一端部）８と、第２収納ケース６近傍で止水扉２の他端部を構成する第２端部材（他端部）９と、これら第１端部材８と第２端部材９との間に第１中央部材７に対して平行に配された断面角柱状の第２中央部材（上枠部）１０と、第１中央部材７と第２中央部材１０との間に折畳まれた状態で配された止水シート（止水シート部）１１と、第１中央部材７の下部に取り付けられかつ床面Ｆに接触する弾性部材（弾性シール部）１２とから概略構成されている。
【００２０】
第１中央部材７は、その長さ方向に離間する２つの端部において第１端部材８および第２端部材９にそれぞれ連結されている。また、第１端部材８と第２端部材９との間には、第１中央部材７の上流側Ｕに側板部１３が立設されると共に、下流側Ｄには側板部１４が立設されている。これら側板部１３および１４は、その間に収容された止水シート１１を保護するものである。上流側Ｕの側板部１３と第１端部材８および第２端部材９とは切欠き部１５および１６を介して離間している。これらの切欠き部１５および１６は、止水シート１１に対して押圧を加える後述のクランプ機構を受け入れるために形成されたものである。これら切欠き部１５および１６を構成する側板部１３の両端縁には、水圧の変化により側板部１３と止水シート１１とが接触する場合に、止水シート１１の損傷等を防止するテーパ１３ａおよび１３ｂが形成されている。他方、下流側Ｄの側板部１４と第１端部材８および第２端部材９とは固定されている。したがって、上記側板部１３および１４と第２中央部材１０とは分離可能である。
【００２１】
第２中央部材１０と第１端部材８とは、小型のラッチ１７により取外し可能に連結されており、第２中央部材１０と第２端部材９とは、同じく小型のラッチ１８により取外し可能に連結されている。これらラッチ１７および１８は、レバー１７ａおよび１８ａを引き上げることにより係合爪１７ｂおよび１８ｂが第２中央部材１０側に後退して第１端部材８および第２端部材９の係合溝１７ｃおよび１８ｃから外れて、第２中央部材１０と第１端部材８または第２端部材９とが分離されると共に、レバー１７ａおよび１８ａをバネ（図示せず）等の付勢力により戻すことにより係合爪１７ｂおよび１８ｂが前進して係合溝１７ｃおよび１８ｃに係合して第２中央部材１０と第１端部材８または第２端部材９とが連結されるように構成されている。なお、第２中央部材１０が第１端部材８または第２端部材９から分離される場合には、第１中央部材７と第２中央部材１０との間に配された止水シート１１を引き出すことが可能である。また、第２中央部材１０の上部には、第２収納ケース６側のラッチ１８近傍に平面取手１９が設けられている。この平面取手１９は、止水扉２が縦置き状態から横置き状態へ移行する際あるいは逆に横置き状態から縦置き状態へ戻される際に、止水扉２を保持するために使用されるものであり、未使用時には、バネ（図示せず）等の付勢力により第２中央部材１０の上面と平行になるように倒され、使用時にその付勢力に抗して立ち上げて使用状態となる。
【００２２】
図３に示すように、第１端部材８の上流側Ｕには、断面Ｌ字状の被押圧部材８ａが取り付けられている。また、第１端部材８内には、後述の押さえ部材の他端部に係合される水平軸８ｂが設けられており、この水平軸８ｂの位置は上記ブッシュユニット４との対称を考慮して設定されている。他方、第２端部材９の上流側Ｕには、同じく断面Ｌ字状の被押圧部材９ａが取り付けられており、その近傍には、断面Ｌ字状の被押圧部材９ｂが取り付けられている。この被押圧部材９ｂは、第２中央部材１０の上面に面一となる平面を有している。
【００２３】
図１０に示すように、止水シート１１の上縁部は、第２中央部材１０の下部と断面コ字状の取付け部材２０との間にネジやリベット等の固定具により固定されており、止水シート１１の下縁部は、第１中央部材７の内底部とこの内底部の形状に対応する断面形状を有する取付け部材２１との間にネジやリベット等の固定具により固定されている。また、図４および図７に示すように、第２中央部材１０の下部には、止水シート１１が引き出された際に、止水シート１１の両端縁を第１収納ケース３の弾性部材３ａおよび第２収納ケース６の弾性部材６ａに押圧するための押さえ部材２２および２３が格納されている。押さえ部材２２および２３は、それぞれ止水シート１１の引き出された際の高さに相当する長さを有する板部材であり、それぞれの一端部は、第２中央部材１０の下部であって第１収納ケース３近傍位置および第２収納ケース６近傍位置に設けられた支持部２２ａおよび２３ａにより回転可能に支持されており、それぞれの他端部は、第２中央部材１０の下部に設けられた留付け部材２２ｂおよび２３ｂにより取外し可能に留め付けられている。ここで、押さえ部材２２の他端部は第１端部材８の水平軸８ｂに係合するように把持部２２ｃを構成しており、また押さえ部材２３の他端部はブッシュユニット４の主軸に係合するように把持部２３ｃを構成している。さらに、図１６および図１７に示すように、これら押さえ部材２２および２３には、それぞれの中央部分に被押圧部２２ｄおよび２３ｄが設けられている。
【００２４】
次に、第１収納ケース３の構成を説明する。
第１収納ケース３は、止水扉２を縦置き状態で収納するのに十分な高さを有する断面矩形状の函状部材である。この第１収納ケース３には、図２および図１８に示すように、第２収納ケース６側に開閉扉２４が設けられている。開閉扉２４は、下流側Ｄの壁面に設けられた蝶番２４ａにより回転可能に支持されている。また、図６および図９に示すように、第１収納ケース３内の中央壁面２５の下部には、上記ブッシュユニット４が設けられており、このブッシュユニット４は、止水扉２の第１中央部材７と第１端部材８との連結部分を回転可能に支持している。さらに、上記中央壁面２５の上部には、上記ガススプリング５の一端部５ａが取り付けられており、このガススプリング５の他端部５ｂは、止水扉２の第２中央部材１０近傍の第１端部材８を回転可能に支持している。ガススプリング５は、図６に示すガススプリング５の伸長状態と、図９に示すガススプリング５の収縮状態との間で、滑らかに、好ましくは直線的に変化する付勢力を発生するものである。ガススプリング５の伸長状態では、縦置き状態になっている止水扉２がブッシュユニット４の止水扉２の中心線Ｃからのズレによりガススプリング５の他端部５ｂ側に傾くが、この傾きを修正して止水扉２を正立させるのに十分な付勢力がガススプリング５に求められる。この状態から、止水扉２が回転して横置き状態になっていく過程でガススプリング５は収縮していく。この場合において、ガススプリング５は、止水扉２に対する専任者による引出し力と止水扉２の自重による重力との合力である止水扉２の回転力に抗する付勢力を発生するが、その付勢力は、止水扉２の回転速度を減少させるか、あるいは回転を停止させる程度で十分である。
【００２５】
また、第１収納ケース３内の中央壁面２５の下部には、止水扉２の回転時において、第１端部材８の被押圧部材８ａに当接して回転終了時に止水扉２を下流側Ｄに押圧する押圧部材２６が取り付けられている。この押圧部材２６は、図１０に示すように、斜め下方に傾斜した傾斜面２６ａとこの傾斜面２６ａの上方に傾斜面２６ａに連続して設けられた鉛直面２６ｂとから概略構成されている。ここで、被押圧部材８ａと押圧部材２６とは第１押圧手段を構成している。
【００２６】
さらに、第１収納ケース３内の中央壁面２５には、止水扉２を構成する第１中央部材７と第２中央部材１０とを分離して止水シート１１を引き出した際に使用される押さえ部材２２を介して止水シート１１を下流側Ｄに押圧するクランプ機構（第４押圧手段）２７が取り付けられている。このクランプ機構２７は、止水シート１１に向かって前進または後退することが可能な可動ロッド２７ａと、この可動ロッド２７ａを操作する回転操作レバー２７ｂと、上記可動ロッド２７ａの位置を固定するロック機構（図示せず）とから概略構成されている。可動ロッド２７ａは、回転操作レバー２７ｂが上方に立ち上がっている状態で後退しており、回転操作レバー２７ｂを回転させながら下方に降ろすことで、徐々に前進することが可能である。
【００２７】
このような第１収納ケース３の下流側Ｄには、図１８に示すように、第１収納ケース３の移動または流出を防止する固定柱２８が床面Ｆ上に設置されている。なお、第１収納ケース３内には、止水扉２と接触して水密構造を形成するための弾性部材３ａが配設されている。
【００２８】
次に、第２収納ケース６の構成を説明する。
第２収納ケース６は、上記第１収納ケース３よりも低い高さを有する断面矩形状の函状部材である。この第２収納ケース６には、図５および図１８に示すように、第１収納ケース３側に開閉扉２９が設けられている。開閉扉２９は、下流側Ｄの壁面に設けられた蝶番２９ａにより回転可能に支持されている。
【００２９】
また、この第２収納ケース６内の中央壁面３０には、図５に示すように、止水扉２を構成する第１中央部材７と第２中央部材１０とを分離して止水シート１１を引き出した際に使用される押さえ部材２３を介して止水シート１１を下流側Ｄに押圧するクランプ機構（第４押圧手段）３１が取り付けられている。このクランプ機構３１は、上記クランプ機構２７と同様に、止水シート１１に向かって前進または後退することが可能な可動ロッド３１ａと、この可動ロッド３１ａを操作する回転操作レバー３１ｂと、上記可動ロッド３１ａの位置を固定するロック機構（図示せず）とから概略構成されている。可動ロッド３１ａは、回転操作レバー３１ｂが上方に立ち上がっている状態で後退（上昇）しており、回転操作レバー３１ｂを回転させながら下方に降ろすことで、徐々に前進（下降）することが可能である。
【００３０】
さらに、第２収納ケース６内の中央壁面３０の下部には、止水扉２の回転終了時において、第２端部材９の被押圧部材９ａに当接して止水扉２を下流側Ｄに押圧する押圧部材３２が取り付けられている。この押圧部材３２は、図１２および図１３に示すように、斜め上方に傾斜した傾斜面３２ａとこの傾斜面３２ａの下方に傾斜面３２ａに連続して設けられた鉛直面３２ｂとから概略構成されている。ここで、被押圧部材９ａと押圧部材３２とは第２押圧手段を構成している。
【００３１】
またさらに、第２収納ケース６の内壁面（図示せず）と中央壁面３０との間には、水平方向に延在する円柱状のガイドロッド３３が取り付けられている。このガイドロッド３３には、吊部材３４がガイドロッド３３の長さ方向に移動可能に配設されている。吊部材３４は、鉛直方向に延在する２つの平行な側板部３４ａおよび３４ｂと、これら側板部３４ａおよび３４ｂを支持する中央板部３４ｃとから概略構成されている。なお、ガイドロッド３３の有効長さは、吊部材３４の側板部３４ａと側板部３４ｂとの幅寸法の２倍以上に設定されている。これにより、吊部材３４は、止水扉２の回転時においては、ガイドロッド３３に沿って上流側Ｕに移動して止水扉２の回転空間から外れた位置に退避可能であり、止水扉２の回転終了後においては、上記退避位置からガイドロッド３３に沿って下流側Ｄに移動することが移動可能である。
【００３２】
上記吊部材３４の中央板部３４ｃの下部には、止水扉２が回転終了時に横置き状態になる際に、止水扉２の被押圧部材９ｂを下方に向けて押圧するクランプ機構（第３押圧手段）３５が取り付けられている。このクランプ機構３５は、被押圧部材９ｂに向かって前進または後退することが可能な可動ロッド３５ａと、この可動ロッド３５ａを操作する回転操作レバー３５ｂと、上記可動ロッド３５ａの位置を固定するロック機構（図示せず）とから概略構成されている。可動ロッド３５ａは、回転操作レバー３５ｂが上方に立ち上がっている状態で後退しており、回転操作レバー３５ｂを回転させながら下方に降ろすことで、徐々に前進することが可能である。
【００３３】
このような第２収納ケース６の下流側Ｄには、図１８に示すように、第２収納ケース６の移動または流出を防止する固定柱３６が床面Ｆ上に設置されている。なお、第２収納ケース６内には、止水扉２と接触して水密構造を形成するための弾性部材６ａが配設されている。
【００３４】
なお、上記弾性部材３ａ、６ａおよび１２は、弾性を有し、それぞれ部材等の間に挟まれた状態で、部材間の間隙を埋める密閉特性に加え、耐水圧特性を有する材料であれば、例えば、ゴムや軟質な合成樹脂など、いずれの材料で形成されてもよい。また、上記止水シート１１は耐水圧特性を有する材料であれば、例えば、ゴムや軟質な合成樹脂など、いずれの材料で形成されてもよい。
【００３５】
次に、止水装置１の動作（使用方法）について説明する。
まず、止水装置１の未使用状態では、第１収納ケース３の開閉扉２４および第２収納ケース６の開閉扉２９が閉じられており、そのうち、第１収納ケース３内には止水扉２が縦置き状態で収納されている。この止水扉２の縦置き状態は、図６に示すように、止水扉２の中心線Ｃからのブッシュユニット４のズレにより生じる止水扉２の傾きを伸長状態のガススプリング５の付勢力により修正して正立させることで、維持されている。このため、緊急時あるいは訓練時に、専任者が止水扉２に対して引出し力を加えない限り、止水扉２の縦置き状態は安定している。また、第１収納ケース３内のクランプ機構２７および第２収納ケース６内のクランプ機構３１では、それぞれ回転操作レバー２７ｂおよび３１ｂが立ち上げられて、可動ロッド２７ａおよび３１ａが後退している。さらに、第２収納ケース６内の吊部材３４は、図５に示すように、ガイドロッド３３に沿って上流側Ｕに移動して止水扉２の回転空間から外れた位置に退避している。
【００３６】
次に、増水時すなわち緊急時にあっては、止水装置１は２つの使用状態を採ることができる。第１段階の使用状態は、増水量が比較的少ない場合に選択され、第２段階の使用状態は、第１段階の使用状態では増水による浸水を阻止できないおそれのある場合に選択される。
【００３７】
まず。第１段階の使用状態に至る止水装置１の動作を説明する。
増水発生等の緊急時において、専任者により第１収納ケース３の開閉扉２４および第２収納ケース６の開閉扉２９が開けられる。次に、第１収納ケース３内に縦置き状態で収納された止水扉２の第２端部材９付近（縦置き状態の上部）が専任者によりガススプリング５の付勢力に抗して手前（第２収納ケース６側）に引かれると、止水扉２がブッシュユニット４を中心にして回転しながら傾く（図１における矢印Ａ１方向）。次に、止水扉２の第２端部材９が専任者の作業し易い高さまで降りてきたら、止水扉２の平面取手１９を立ち上げ、この平面取手１９により止水扉２が保持される。このとき、ガススプリング５の付勢力により、止水扉２の回転力が規制されているので、平面取手１９による保持力は止水扉２の自重に比べて極めて小さくなっており、専任者の作業負担が軽減されている。次に、平面取手１９による保持を維持しながら、止水扉２を降下させてゆき、図９に示すように、止水扉２の回転を終了させて横置き状態にする。
【００３８】
ここで、止水扉２の回転終了時においては、図１１（ａ）に示すように、第１収納ケース３内の押圧部材２６が止水扉２の被押圧部材８ａに当接した後、止水扉２の回転（図１における矢印Ａ１方向）に伴って、被押圧部材８ａが押圧部材２６の傾斜面２６ａ上を移動する（図１１（ａ）における矢印Ａ２方向）ことにより、止水扉２は下流側Ｄに向けて押圧されて移動する（図１１（ａ）における矢印Ａ３方向）。この押圧により、止水扉２は、第１収納ケース３内の弾性部材３ａに密着して第１の水密構造を形成する。次に、図１１（ｂ）に示すように、被押圧部材８ａが押圧部材２６の傾斜面２６ａと鉛直面２６ｂとの境界部分を通る際に、止水扉２の下流側Ｄへの移動が終了する。次に、図１１（ｃ）に示すように、被押圧部材８ａが押圧部材２６の鉛直面２６ｂ上を移動する（図１１（ｃ）における矢印Ａ４方向）ことにより、第１端部材８側における止水扉２に対する押圧が保持される。
【００３９】
他方、止水扉２の回転終了時においては、図１２（ａ）および図１２（ｂ）に示すように、第２収納ケース６内の押圧部材３２が止水扉２の被押圧部材９ａに当接した後、止水扉２の回転（図１における矢印Ａ１方向）に伴って、被押圧部材９ａが押圧部材３２の傾斜面３２ａ上を移動する（図１２（ｂ）における矢印Ａ５方向）ことにより、止水扉２は下流側Ｄに押圧されて移動する（図１２（ｂ）における矢印Ａ３方向）。この押圧により、止水扉２は、第２収納ケース６内の弾性部材６ａに密着して第２の水密構造を形成する。次に、図１３（ａ）および図１３（ｂ）に示すように、被押圧部材９ａが押圧部材３２の傾斜面３２ａから鉛直面３２ｂへ移動すると、止水扉２の下流側Ｄへの移動が終了する。
【００４０】
次に、止水扉２の回転終了後に、専任者により、第２収納ケース６内のクランプ機構３５を退避位置からガイドロッド３３に沿って下流側Ｄへ移動する（図５における矢印Ａ６方向）。次に、クランプ機構３５の回転操作レバー３５ｂを下方に降ろすことにより、可動ロッド３５ａを横置き状態の止水扉２の被押圧部材９ｂを下方に向けて押圧する。この押圧により、止水扉２と床面Ｆとの間に存在する弾性部材１２をさらに圧迫することで、止水扉２をさらに床面Ｆに近づけて止水扉２の床面Ｆに対する強固な第３の水密構造を形成する。
【００４１】
このような第１段階の使用状態では、止水扉２を第１収納ケース３から引き出すことで、第１および第２の水密構造を容易に形成することができると共に、クランプ機構３５を簡単に操作することで、第３の水密構造を容易に形成することができる。
【００４２】
次に、第２段階の使用状態に至る止水装置１の動作を説明する。
増水量が当初よりも増えつつある等の場合には、上記第１段階の使用状態における水密構造を維持しながら、第１段階の使用状態から第２段階の使用状態へ、簡単な操作で迅速に移行することが可能である。すなわち、止水扉２の第２中央部材１０に設けられたラッチ１７および１８のレバー１７ａおよび１８ａを引き上げることで、第１端部材８および第２端部材９から第２中央部材１０を分離し、この第２中央部材１０を第１中央部材７の上方に持ち上げて止水シート１１を引き出す。次に、図１５に示すように、第２中央部材１０の下部に格納されていた押さえ部材２２および２３の留付け部２２ｂおよび２３ｂをそれぞれ外し、押さえ部材２２および２３を支持部２２ａおよび２３ａを回転中心にして回転させながら垂下させる。このとき、図１６および図１７に示すように、押さえ部材２２の把持部２２ｃを第１端部材８の水平軸８ｂに係合させると共に、押さえ部材２３の把持部２３ｃをブッシュユニット４の主軸に係合させる。このような係合により、押さえ部材２２および２３は、それぞれ鉛直方向に垂下した状態で固定される。次に、押さえ部材２２の被押圧部２２ｄおよび押さえ部材２３の被押圧部２３ｄに対してクランプ機構２７および３１を作用させる。すなわち、クランプ機構２７の回転操作レバー２７ｂを下方に降ろすことで、可動ロッド２７ａを止水扉２の切欠き部１５を介して前進させ、被押圧部２２ｄを下流側Ｄに向けて押圧することで、止水シート１１を第１収納ケース３内の弾性部材３ａに密着させる。同様に、クランプ機構３１の回転操作レバー３１ｂを下方に降ろすことで、可動ロッド３１ａを止水扉２の切欠き部１６を介して前進させ、被押圧部２３ｄを下流側Ｄに向けて押圧することで、止水シート１１を第２収納ケース６内の弾性部材６ａに密着させる。このような２箇所の密着により、止水シート１１と弾性部材３ａおよび６ａとの間に水密構造を形成する。したがって、水量が増えた場合に適用される第２段階の使用状態では、第１段階の使用状態における３つの水密構造に加えて、２つの新たな水密構造を形成することができる。
【００４３】
以上のように、この実施の形態１によれば、止水扉２を回転可能に支持するブッシュユニット４を含むように構成したので、止水扉２をブッシュユニット４により回転することで上記出入口Ｐに対して容易にかつ迅速に止水扉２を設置することができるという効果がある。また、この実施の形態１では、ブッシュユニット４による回転で止水扉２を床面Ｆに配置することができるので、床面Ｆに対して、従来実施されてきたような大掛かりなハツリ工事を不要とすることができることから、出入口Ｐへの止水装置１の設置を安価で迅速に行うことができるという効果もある。さらに、この実施の形態１では、止水扉２を第１収納ケース３内に縦置き状態でコンパクトに収納することができるので、増水時以外の未使用時において場所を採らず、出入口Ｐの通行を妨げないという効果もある。またさらに、この実施の形態１では、止水扉２の両端部のうち、床面に近い一端部側にブッシュユニット４を設けるように構成したので、止水装置１を簡単に構成することができるという効果もある。
【００４４】
この実施の形態１によれば、ブッシュユニット４により回転する止水扉２の回転力に抗する付勢力を発生するガススプリング５をさらに含むように構成したので、止水扉２を縦置き状態から横置き状態に回転させる際に、付勢力により回転力を規制することができることから、不用意な回転を防止することができると共に、止水扉２の取り扱いを容易にして駅員等の専任者の作業負担を軽減することができるという効果がある。
【００４５】
この実施の形態１によれば、止水扉２を、横置き状態において上記床面Ｆ側に配された第１中央部材７と、この第１中央部材７の上方に配設された第２中央部材１０と、この第２中央部材１０と第１中央部材７との間に折畳まれた状態で配された止水シート１１から構成し、第２中央部材１０は第１中央部材７から上方に分離可能であり、この分離により引き出された止水シート１１の長さ分だけ、第１中央部材７から離間した位置に第２中央部材１０が固定可能になるように構成したので、床面Ｆ上に横置きした止水扉２の床面からの高さ以上に水嵩が増すことが予想される状況下において、止水シート１１の長さ分だけ、止水扉２を速やかに高くすることができ、また止水量を増加させることができることから、状況の変化に即応して、浸水を防止することができるという効果がある。
【００４６】
この実施の形態１によれば、第１収納ケース３および第２収納ケース６の下流側Ｄに、これら第１収納ケース３および第２収納ケース６をそれぞれ床面Ｆ上に固定する固定柱２８および３６を配設するように構成したので、増水による水圧の上昇に対しても、止水装置１の下流側Ｄへの移動を阻止して、構造物施設内への浸水を極力防止することができるという効果がある。
【００４７】
この実施の形態１によれば、切欠き部１５に対応してクランプ機構２７を備えると共に、切欠き部１６に対応してクランプ機構３１を備えるように構成したので、クランプ機構２７および３１により、水量の増加に対応して引き出された止水シート１１を弾性部材３ａおよび６ａに密着させて水密構造を形成することができるという効果がある。
【００４８】
この実施の形態１によれば、側板部１３の両端縁に、止水シート１１に接触するテーパ１３ａおよび１３ｂを備えるように構成したので、水圧の変化により側板部１３と止水シート１１とが接触しても、止水シート１１が角当たりすることなく、止水シート１１の損傷等を防止することができるという効果がある。
【００４９】
この実施の形態１によれば、第１押圧手段を構成する被押圧部材８ａおよび押圧部材２６を備えるように構成したので、止水扉２の回転終了時に止水扉２を下流側Ｄに押圧し、これにより止水扉２と第１収納ケース３内の弾性部材３ａとを密着させて、その部分に水密構造を形成することができるという効果がある。
【００５０】
この実施の形態１によれば、第２押圧手段を構成する被押圧部材９ａおよび押圧部材３２を備えるように構成したので、止水扉２の回転終了時に止水扉２を下流側Ｄに押圧し、これにより止水扉２と第２収納ケース６内の弾性部材６ａとを密着させて、その部分に水密構造を形成することができるという効果がある。
【００５１】
この実施の形態１によれば、第３押圧手段を構成するクランプ機構３５を備えるように構成したので、止水扉２の回転終了後に、止水扉２の被押圧部材９ｂを下方に向けて押圧し、これにより止水扉２と床面Ｆとの間に存在する弾性部材１２をさらに圧迫することで、止水扉２の床面Ｆに対する水密構造を形成することができるという効果がある。
【００５２】
この実施の形態１によれば、第４押圧手段をそれぞれ構成するクランプ機構２７および３１を備えるように構成したので、引き出された止水シート１１に対してクランプ機構２７および３１により押圧することで、止水シート１１を、第１収納ケース３内の弾性部材３ａおよび第２収納ケース６内の弾性部材６ａに密着させることで、これらの部分に水密構造を形成することができるという効果がある。
【００５３】
この発明は、上記実施の形態１に限定されるものではなく、この技術分野における当業者によって容易に到達することができる変更あるいは修正を施した変形例も特許請求の範囲内において、この発明に含めることができる。
【００５４】
なお、この発明では、上記実施の形態１において、出入口Ｐを床面Ｆと互いに対向する２つの壁面Ｗ１、Ｗ２とから構成するようにしたが、出入口は床面を有するものであれば、いかなる構成でもよい。例えば、この発明に係る止水装置を適用することができる出入口には、床面に設けられかつ互いに対向しない、例えば互いに平行または斜めの位置関係にある２つの壁面間に規定され、あるいは２つの柱の互いに対向する面間に規定され、あるいは２つの柱の互いに対向しない、例えば互いに平行または斜めの位置関係にある面間に規定され、あるいは壁面と柱との組み合わせによって規定される種々の通路を含めることができる。また、この発明において出入口Ｐには、外部から構造物施設内への同一階あるいは下階への通行口となる部分で、例えば踊り場等の階段口部やスロープ部、廊下部などが含まれるものである。ここで、上記壁面とは、構造物施設の壁部に限らず、構造物施設の付帯設備等の構造体を構成する壁部を含む意味であり、上記柱とは、構造物施設の壁部を構成するものに限らず、構造物施設の付帯設備等の構造体の壁部を構成する長尺体を含む意味である。また、この出入口を構成する床面とは、平坦な面に限らず、部分的に段差を有する下面を含む意味である。
【００５５】
なお、上記実施の形態１では、出入口Ｐに対して１つの止水装置１を適用する場合について言及したが、出入口Ｐの横幅が仮に２倍程度広い場合には、２つの止水装置１を直線状に連装することも可能である。この場合には、２つの壁面Ｗ１およびＷ２に、互いに対向する位置にそれぞれ第１収納ケース３を配設すると共に、これら２つの第１収納ケース３間の中間位置にそれぞれの第１収納ケース３に対向する２つの第２収納ケース６を配設するように構成することで、連装させた２つの止水装置１により幅の広い出入口Ｐを止水することができる。また、第１収納ケース３を、２以上の第２収納ケース６に対応して配設する場合には、例えば２つの止水扉２の各々に対応するように２つの第２収納ケース６を隣接して配置させる構成、あるいは２つの止水扉２をこれらに共通して対応する１つの第２収納ケース６に配置させる構成を含めることができる。このように、複数の止水装置１を連装する場合には、複数の止水装置１が直線状に配置される直線連装の他に、複数の止水装置１が直角等の角度をもって配置される角度付き連装などを含めることができる。この角度付き連装の場合には、第１収納ケース３および第２収納ケース６を多角形（例えば三角形）の角部に配置することで、複数の止水扉２を当該多角形の隣接する２つの辺部に配置することが可能となり、種々の形態を有する出入口Ｐを止水することが可能である。
【産業上の利用可能性】
【００５６】
この発明の止水装置は、例えば地下鉄、地下道、地下駐車場、地下駐輪場、地下街、地下室等の地下施設あるいはビル、住宅、倉庫等の地上施設等の構造物施設において、大雨あるいは高潮等により発生する増水に対処して浸水を防止するのに好適に使用可能である。
【図面の簡単な説明】
【００５７】
【図１】この発明の１つの実施の形態による止水装置の全体構成を示す正面図である。
【図２】図１に示した止水装置の一部を構成する第１収納ケース内の構成を部分的に示す斜視図である。
【図３】図２に示した第１収納ケース内に収納された止水扉の上端面を示す正面図である。
【図４】図３に示した止水扉の一側面を上流側から見た側面図である。
【図５】図１に示した止水装置の一部を構成する第２収納ケース内の構成を部分的に示す斜視図である。
【図６】図２に示した第１収納ケース内の構成を上流側から見た側面図である。
【図７】止水扉が横置きされた状態における止水装置の全体構成を示す正面図である。
【図８】図７に示した止水装置の一部を構成する第１収納ケース内の構成を部分的に示す斜視図である。
【図９】図８に示した第１収納ケース内の構成を上流側から見た側面図である。
【図１０】図８に示した第１収納ケース内の構成を第２収納ケース側から見た正面図である。
【図１１】（ａ）、（ｂ）および（ｃ）は、第１収納ケース内における止水扉の回転時の動作を順に示す正面図である。
【図１２】（ａ）および（ｂ）は、第２収納ケース内における止水扉の回転時の一動作を示す図面であって、（ａ）は斜視図であり、（ｂ）は正面図である。
【図１３】（ａ）および（ｂ）は、第２収納ケース内における回転後の止水扉を示す図面であって、（ａ）は斜視図であり、（ｂ）は正面図である。
【図１４】図１３（ａ）および図１３（ｂ）に示した第２収納ケース内の構成を第１収納ケース側から見た斜視図である。
【図１５】図７に示した止水装置の止水扉から止水シート部を引き上げた状態を示す正面図である。
【図１６】図１５に示した止水装置の一部を構成する第１収納ケース内の構成を拡大して示す正面図である。
【図１７】図１５に示した止水装置の一部を構成する第２収納ケース内の構成を拡大して示す正面図である。
【図１８】図１５に示した止水装置の一部を構成する第１収納ケースおよび第２収納ケース内の構成を示す上面図である。
【符号の説明】
【００５８】
Ｆ  床面
Ｗ１  壁面
Ｗ２  壁面
Ｐ  出入口
Ｕ  上流側
Ｄ  下流側
１  止水装置
２  止水扉
３  第１収納ケース
３ａ  弾性部材
４  ブッシュユニット（回転手段）
５  ガススプリング（付勢手段）
５ａ  一端部
５ｂ  他端部
６  第２収納ケース
６ａ  弾性部材
７  第１中央部材（下枠部）
８  第１端部材（一端部）
８ａ  被押圧部材（第１押圧手段）
８ｂ  水平軸
９  第２端部材（他端部）
９ａ  被押圧部材（第２押圧手段）
９ｂ  被押圧部材
１０  第２中央部材（上枠部）
１１  止水シート（止水シート部）
１２  弾性部材（弾性シール部）
１３  側板部
１３ａ  テーパ
１３ｂ  テーパ
１４  側板部
１５  切欠き部
１６  切欠き部
１７  ラッチ
１７ａ  レバー
１７ｂ  係合爪
１７ｃ  係合溝
１８  ラッチ
１８ａ  レバー
１８ｂ  係合爪
１８ｃ  係合溝
１９  平面取手
２０  取付け部材
２１  取付け部材
２２  押さえ部材
２２ａ  支持部
２２ｂ  留付け部材
２２ｃ  把持部
２２ｄ  被押圧部
２３  押さえ部材
２３ａ  支持部
２３ｂ  留付け部材
２３ｃ  把持部
２３ｄ  被押圧部
２４  開閉扉
２４ａ  蝶番
２５  中央壁面
２６  押圧部材（第１押圧手段）
２６ａ  傾斜面
２６ｂ  鉛直面
２７  クランプ機構（第４押圧手段）
２７ａ  可動ロッド
２７ｂ  回転操作レバー
２８  固定柱
２９  開閉扉
２９ａ  蝶番
３０  中央壁面
３１  クランプ機構（第４押圧手段）
３１ａ  可動ロッド
３１ｂ  回転操作レバー
３２  押圧部材（第２押圧手段）
３２ａ  傾斜面
３２ｂ  鉛直面
３３  ガイドロッド
３４  吊部材
３４ａ  側板部
３４ｂ  側板部
３４ｃ  中央板部
３５  クランプ機構（第３押圧手段）
３５ａ  可動ロッド
３５ｂ  回転操作レバー
３６  固定柱
【図１】
2006283454.tif 000003
【図２】
2006283454.tif 000004
【図３】
2006283454.tif 000005
【図４】
2006283454.tif 000006
【図５】
2006283454.tif 000007
【図６】
2006283454.tif 000008
【図７】
2006283454.tif 000009
【図８】
2006283454.tif 000010
【図９】
2006283454.tif 000011
【図１０】
2006283454.tif 000012
【図１１】
2006283454.tif 000013
【図１２】
2006283454.tif 000014
【図１３】
2006283454.tif 000015
【図１４】
2006283454.tif 000016
【図１５】
2006283454.tif 000017
【図１６】
2006283454.tif 000018
【図１７】
2006283454.tif 000019
【図１８】
2006283454.tif 000020